(57)【要約】【課題】安定した動作を確保できると共にローコスト化を図れる光ピックアップ装置を提供する。【解決手段】この光ピックアップ装置は、フレキシブル配線基板３の基部３Ｄに接着部４Ａが接着された係止シート４の接着部４Ａおよび上記基部３Ｄは、スピンドルモータ固定板１３と底カバー板９との間に挿入されている。よって、フレキシブル配線基板３の基部３Ｄをスピンドルモータ固定板１３と底カバー板９に係止できる。したがって、光ピックアップ部２Ａのシーク動作に伴うフレキシブル配線基板３の暴れ(移動,変形)を抑制でき、部品点数の増加を抑えつつ、フレキシブル配線基板３および周辺の部品の損傷を防ぐことができる。【選択図】図１Ｂ
2009037686.tif 000002
【特許請求の範囲】
【請求項１】
光ピックアップ部と、
上記光ピックアップ部に一端が電気的に接続されているフレキシブル配線基板と、
上記フレキシブル配線基板から一端がはみ出すように上記フレキシブル配線基板に結合していると共に係止相手部材に係止する係止シートとを備えることを特徴とする光ピックアップ装置。
【請求項２】
請求項１に記載の光ピックアップ装置において、
上記係止シートは、上記フレキシブル配線基板とは別体であることを特徴とする光ピックアップ装置。
【請求項３】
請求項２に記載の光ピックアップ装置において、
上記係止シートは、接着によって上記フレキシブル配線基板に結合されていることを特徴とする光ピックアップ装置。
【請求項４】
請求項２に記載の光ピックアップ装置において、
上記フレキシブル配線基板は第１の切れ込みを有すると共に、上記係止シートは第２の切れ込みを有し、
上記第１の切れ込みと第２の切れ込みとを嵌め合わせることによって、上記係止シートが上記フレキシブル配線基板に結合されていることを特徴とする光ピックアップ装置。
【請求項５】
請求項１に記載の光ピックアップ装置において、
上記フレキシブル配線基板には切れ込みが形成されると共にこの切れ込みによる切れ込み部が折り曲げられて、上記フレキシブル配線基板の非折り曲げ部の外縁からはみ出した折り曲げ部を、上記係止シートとしたことを特徴とする光ピックアップ装置。
【請求項６】
請求項２に記載の光ピックアップ装置において、
上記係止シートは、両面テープによる接着によって上記フレキシブル配線基板に結合されていることを特徴とする光ピックアップ装置。
【請求項７】
請求項１から請求項６までのいずれか一項に記載の光ピックアップ装置において、
上記係止シートは、上記フレキシブル配線基板から上記係止相手部材の方向に向かって幅が狭くなる先細部を有することを特徴とする光ピックアップ装置。
【請求項８】
請求項１から請求項７までのいずれか一項に記載の光ピックアップ装置において、
上記係止シートの材質が樹脂材料であることを特徴とする光ピックアップ装置。
【請求項９】
請求項１から請求項７までのいずれか一項に記載の光ピックアップ装置を備える光ディスクドライブ装置。
【請求項１０】
請求項９に記載の光ディスクドライブ装置において、
ディスク駆動モータと、
上記ディスク駆動モータを固定するモータ固定板と、
ドライブ装置底カバー板とを備え、
上記モータ固定板と上記ドライブ装置底カバー板とが上記係止相手部材を構成すると共に上記モータ固定板と上記ドライブ装置底カバー板との間の隙間に上記係止シートを挿入したことを特徴とする光ディスクドライブ装置。
【発明の詳細な説明】
【技術分野】
【０００１】
この発明は、光ディスクまたは光学的な記録媒体を用いて光学的にデータ(信号)の記録と再生を行う全ての光ピックアップ装置、およびこの光ピックアップ装置を搭載した光ディスクドライブ装置に関する。また、この発明は、主として、パーソナルコンピュータやＡＶ(Ａudio Ｖisual)機器内での光ディスク(ＣＤ,ＤＶＤ(デジタル・バーサタイル・ディスク)等)の信号再生、記録を行うためのデバイスとしての光ピックアップ装置に関し、光ディスクドライブ装置内での安定動作およびローコスト化に有効である光ピックアップ装置に関する。
【背景技術】
【０００２】
光ディスクドライブ装置では、信号再生および信号記録の際に、光ピックアップ装置がシーク動作したときに、光ピックアップ装置が有するフレキシブル配線基板が暴れること(望ましくない移動,変形)を抑制して、フレキシブル配線基板および周辺の部品の損傷を防ぐことが求められる。
【０００３】
そこで、特許文献１(特開２００７−５８８８９号公報)では、フレキシブル配線基板の一部をシート状絶縁材からなる保護部材と固定用部材とで主回路基板に固定している(特許文献１の図２,図３参照)。
【０００４】
しかし、特許文献１に記載の技術では、フレキシブル配線基板を固定するために２つの追加部材(保護部材と固定用部材)を必要としているので、部品点数が多くなる。
【０００５】
一方で、ノートブック型およびモバイル型コンピュータの更なる小型化,薄型化が進むに伴い、これに合わせて光ディスクドライブ装置および光ピックアップ装置の薄型化および厳しいローコスト化が要求されている。このことから、光ピックアップ装置の部材コストの低減を図るとともに、安定動作を確保することが求められている。
【特許文献１】特開２００７−５８８８９号公報
【発明の開示】
【発明が解決しようとする課題】
【０００６】
そこで、この発明の課題は、安定した動作を確保できると共にローコスト化を図れる光ピックアップ装置を提供することにある。
【課題を解決するための手段】
【０００７】
上記課題を解決するため、この発明の光ピックアップ装置は、光ピックアップ部と、
上記光ピックアップ部に一端が電気的に接続されているフレキシブル配線基板と、
上記フレキシブル配線基板から一端がはみ出すように上記フレキシブル配線基板に結合していると共に係止相手部材に係止する係止シートとを備える。
【０００８】
この発明の光ピックアップ装置によれば、上記係止シートがフレキシブル配線基板に結合していると共にフレキシブル配線基板から一端がはみ出している。よって、上記係止シートを係止相手部材(例えば、光ディスクドライブ装置の筐体,駆動モータ等)に係止することができる。これにより、光ピックアップ部のシーク動作に伴うフレキシブル配線基板の暴れ(移動,変形)を抑制でき、部品点数の増加を抑えつつ、フレキシブル配線基板および周辺の部品の損傷を防ぐことができ、安定な動作を確保可能になる。
【０００９】
また、一実施形態の光ピックアップ装置では、上記係止シートは、上記フレキシブル配線基板とは別体である。
【００１０】
この実施形態の光ピックアップ装置によれば、係止シートは、上記フレキシブル配線基板とは別体であるので、係止シートがフレキシブル配線基板と一体である場合に比べて、係止シートの形状設定が容易になる。
【００１１】
また、一実施形態の光ピックアップ装置では、上記係止シートは、接着によって上記フレキシブル配線基板に結合されている。
【００１２】
この実施形態の光ピックアップ装置によれば、上記係止シートを、接着によって上記フレキシブル配線基板の所望の箇所に容易に結合させることができる。
【００１３】
また、一実施形態の光ピックアップ装置では、上記フレキシブル配線基板は第１の切れ込みを有すると共に、上記係止シートは第２の切れ込みを有し、上記第１の切れ込みと第２の切れ込みとを嵌め合わせることによって、上記係止シートが上記フレキシブル配線基板に結合されている。
【００１４】
この実施形態の光ピックアップ装置によれば、上記切れ込みを利用して、上記係止シートを上記フレキシブル配線基板に結合させているので、両面テープ等による接着を不要とすることができ、更なるコストダウンを図れる。
【００１５】
また、一実施形態の光ピックアップ装置では、上記フレキシブル配線基板には切れ込みが形成されると共にこの切れ込みによる切れ込み部が折り曲げられて、上記フレキシブル配線基板の非折り曲げ部の外縁からはみ出した折り曲げ部を、上記係止シートとした。
【００１６】
この実施形態の光ピックアップ装置によれば、上記フレキシブル配線基板に形成された切れ込み部を折り曲げて係止シートとしているので、別体としての係止シートを不要とすることができ、更なるコストダウンを図れる。
【００１７】
また、一実施形態の光ピックアップ装置では、上記係止シートは、両面テープによる接着によって上記フレキシブル配線基板に結合されている。
【００１８】
この実施形態の光ピックアップ装置によれば、上記フレキシブル配線基板への係止シートの接着を容易にできる。
【００１９】
また、一実施形態の光ピックアップ装置では、上記係止シートは、上記フレキシブル配線基板から上記係止相手部材の方向に向かって幅が狭くなる先細部を有する。
【００２０】
この実施形態の光ピックアップ装置によれば、狭い隙間にも係止シートの先細部を挿入し易くなる。
【００２１】
また、一実施形態の光ピックアップ装置では、上記係止シートの材質が樹脂材料である。
【００２２】
この実施形態の光ピックアップ装置によれば、上記係止シートの材質が樹脂材料であるので、係止シートの材質を接着性および絶縁性を有する材質とすることが容易になる。
【００２３】
また、一実施形態の光ディスクドライブ装置は、上記光ピックアップ装置を備える。
【００２４】
この実施形態の光ディスクドライブ装置によれば、光ピックアップ装置の安定した動作を確保できると共にローコスト化を図れる。
【００２５】
また、一実施形態の光ディスクドライブ装置は、ディスク駆動モータと、
上記ディスク駆動モータを固定するモータ固定板と、
ドライブ装置底カバー板とを備え、
上記モータ固定板と上記ドライブ装置底カバー板とが上記係止相手部材を構成すると共に上記モータ固定板と上記ドライブ装置底カバー板との間の隙間に上記係止シートを挿入した。
【００２６】
この実施形態の光ディスクドライブ装置によれば、ディスク駆動モータを搭載するモータ固定板とドライブ装置底カバー板との間の隙間に上記係止シートを挿入したことで、フレキシブル配線基板の暴れ(移動,変形)を抑制することができる。
【発明の効果】
【００２７】
この発明の光ピックアップ装置によれば、係止シートがフレキシブル配線基板に結合していると共に上記フレキシブル配線基板からはみ出している。よって、上記係止シートを係止相手部材(例えば、光ディスクドライブ装置の筐体,駆動モータ等)に係止することができる。これにより、光ピックアップ部のシーク動作に伴うフレキシブル配線基板の暴れ(移動,変形)を抑制でき、部品点数の増加を抑えつつ、フレキシブル配線基板および周辺の部品の損傷を防ぐことができ、安定な動作を確保できる。
【発明を実施するための最良の形態】
【００２８】
以下、この発明を図示の実施の形態により詳細に説明する。
【００２９】
(第１の実施の形態)
図１Ａに、この発明の光ピックアップ装置２の第１実施形態を備えた光ディスクドライブ装置１の要部を示す模式図を示す。図１Ａは、光ディスクドライブ装置１の底カバー板９の底面から上方に見た様子を示している。また、図１Ｂは、図１ＡのＡ-Ａ断面を示す断面模式図である。また、図１Ｃは、光ディスクドライブ装置１を底カバー板９の短辺９Ｂ側の側方から見た様子を簡略化して示す簡略模式図である。
【００３０】
この光ディスクドライブ装置１は、光ディスクを回転駆動するためのスピンドルモータ５と、このスピンドルモータ５が固定されるスピンドルモータ固定板１３と、このスピンドルモータ固定板１３に固定された主軸側シャフト７,副軸側シャフト８と、ステッピングモータ１４を有する。この主軸側シャフト７,副軸側シャフト８は、底カバー板９の長辺９Ａが延びる方向に延在している。上記ステッピングモータ１４は、所定の伝達機構(図示せず)を駆動して、主軸側シャフト７,副軸側シャフト８に沿って光ピックアップ装置２の光ピックアップ部２Ａを移動させる光ピックアップ装置駆動部を構成している。
【００３１】
また、上記光ピックアップ装置２は、光ピックアップ部２Ａと、フレキシブル配線基板３と、コネクタ部１０を有する。上記光ピックアップ部２Ａは、対物レンズ６および受光素子(図示せず)等で構成されている。この光ピックアップ部２Ａは、光ディスクの略半径方向に移動しながら上記光ディスクに対して情報の記録または再生を行う。
【００３２】
また、フレキシブル配線基板３は、一端部３Ａが光ピックアップ部２Ａに接続され、他端部３Ｂがコネクタ部１０に接続されている。このコネクタ部１０には、例えば、光ピックアップ部２Ａとの間で記録信号や再生信号をやり取りする信号処理回路やモータ５,１４等を駆動制御するための各種制御回路が搭載された回路基板(図示せず)が接続される。
【００３３】
また、上記フレキシブル配線基板３は、図１Ｂに示すように、光ピックアップ部２Ａに接続された一端部３Ａから長手方向Ｘ１に延在してから下方に折り返して長手方向Ｘ２に延在している折り返し部３Ｃを有する。また、フレキシブル配線基板３の基部３Ｄには、樹脂製の係止シート４が接着されている。この係止シート４は、フレキシブル配線基板３からはみ出すように長手方向Ｘ２に延在している。
【００３４】
図１Ａに示すように、この係止シート４は、フレキシブル配線基板３の基部３Ｄに接着された接着部４Ａと先端部４Ｂと、接着部４Ａから先端部４Ｂに向かって幅が狭くなっている先細部４Ｃを有する。この係止シート４の先端部４Ｂと先細部４Ｃおよび接着部４Ａの一部は上記スピンドルモータ固定板１３と底カバー板９との間に挿入されている。上記スピンドルモータ固定板１３と底カバー板９が係止相手部材を構成している。
【００３５】
上記構成の光ディスクドライブ装置１は、スピンドルモータ５により光ディスクが回転駆動されると共に、ステッピングモータ１４により光ピックアップ部２Ａがシャフト７,８に沿って長手方向Ｘ１,Ｘ２に移動させられて、シーク動作が行われる。一例として、光ピックアップ部２Ａが、図１Ｂに一点鎖線で描かれた位置に達すると、フレキシブル配線基板３の折り返し部３Ｃは、図１Ｂに一点鎖線で描かれた状態になる。
【００３６】
ここで、フレキシブル配線基板３の基部３Ｄに接着部４Ａが接着された係止シート４の接着部４Ａおよび上記基部３Ｄは、スピンドルモータ固定板１３と底カバー板９との間に挟まれている。これにより、上記フレキシブル配線基板３の上記基部３Ｄをスピンドルモータ固定板１３と底カバー板９に係止することができる。
【００３７】
したがって、光ピックアップ部２Ａのシーク動作に伴うフレキシブル配線基板３の暴れ(移動,変形)を抑制でき、部品点数の増加を抑えつつ、フレキシブル配線基板３および周辺の部品の損傷を防ぐことができ、安定な動作を確保することが可能になる。
【００３８】
また、この実施形態によれば、フレキシブル配線基板３とは別体の係止シート４をフレキシブル配線基板３の基部３Ｄに接着したので、係止シートがフレキシブル配線基板とが一体成形されている場合に比べて、フレキシブル配線基板と係止シートの形状の設定自由度を大きくできる。また、この実施形態の光ピックアップ装置２によれば、係止シート４の材質が樹脂材料であるので、係止シート４の材質を接着性および絶縁性を有する材質とすることが容易になる。一例として、係止シート４の材質をポリイミド(polyimide)略称ＰＩ、ポリエチレンテレフタレート(polyethylene terephthalate)略称ＰＥＴ等とすればよい。
【００３９】
(第２の実施の形態)
次に、図２を参照して、この発明の光ピックアップ装置の第２実施形態を説明する。この第２実施形態は、前述の第１実施形態の係止シート４に替えて、係止シート２４を備えた点だけが、前述の第１実施形態と異なる。よって、この第２実施形態では、主に前述の第１実施形態と異なる点を説明する。
【００４０】
この第２実施形態の光ピックアップ装置が備える係止シート２４は、図２に示すように、フレキシブル配線基板３の基部３Ｄに両面テープ２５で接着された接着部２４Ａと先端部２４Ｂと、接着部２４Ａから先端部２４Ｂに向かって幅が狭くなっている先細部２４Ｃを有する。この係止シート２４の接着部２４Ａは、図１Ａ〜図１Ｃに示す上記スピンドルモータ固定板１３と底カバー板９との間に挿入されている。
【００４１】
この第２実施形態によれば、フレキシブル配線基板３の基部３Ｄへの係止シート２４の接着を両面テープ２５によって容易に実現できる。
【００４２】
(第３の実施の形態)
次に、図３Ａ,図３Ｂを参照して、この発明の光ピックアップ装置の第３実施形態を説明する。この第３実施形態は、前述の第１実施形態の係止シート４に替えて、係止シート３４を備えた点と、フレキシブル配線基板３が基部３Ｄに替えて、基部３Ｅを有する点だけが、前述の第１実施形態と異なる。よって、この第３実施形態では、主に前述の第１実施形態と異なる点を説明する。
【００４３】
図３Ａに示すように、この第３実施形態では、フレキシブル配線基板３が有する基部３Ｅに短辺９Ｂ延在方向に略真っ直ぐに切れ込んでいる第１の切れ込み３１が形成されている。一方、係止シート３４は、第２の切れ込み３２が形成された基部３４Ａと先端部３４Ｂと、基部３４Ａから先端部３４Ｂに向かって幅が狭くなっている先細部３４Ｃを有する。係止シート３４の基部３４Ａに形成された第２の切れ込み３２は矢印Ｘ１方向に所定寸法だけ延在する略平行な２本の切れ込み３２Ａ,３２Ｂとこの２本の切れ込み３２Ａ,３２Ｂの端部に連なる切れ込み３２Ｃで構成されている。この第２の切れ込み３２により、係止シート３４の基部３４Ａに舌部３６が形成される。
【００４４】
この係止シート３４を、矢印Ｘ１方向に移動させて、図３Ｂに示すように、図面においてフレキシブル配線基板３の基部３Ｅの裏面から舌片３６を基部３Ｅに形成された第１の切れ込み３１に差し込んで、矢印Ｘ２方向に移動させる。このような切れ込み３１,３２の嵌め合いによって、フレキシブル配線基板３の基部３Ｅに係止シート３４が結合される。
【００４５】
そして、この実施形態の係止シート３４は、先端部３４Ｂと先細部３４Ｃおよび基部３４Ａと基部３Ｅとの結合部分が、図１Ａ〜図１Ｃに示すスピンドルモータ固定板１３と底カバー板９との間に挿入されている。
【００４６】
この実施形態の光ピックアップ装置によれば、両面テープ等による接着を不要とすることができ、更なるコストダウンを図れる。
【００４７】
(第４の実施の形態)
次に、図４Ａ,図４Ｂを参照して、この発明の光ピックアップ装置の第４実施形態を説明する。この第４実施形態は、前述の第１実施形態の係止シート４を有していない点と、フレキシブル配線基板３が基部３Ｄに替えて、基部３Ｆを有する点だけが、前述の第１実施形態と異なる。よって、この第４実施形態では、主に前述の第１実施形態と異なる点を説明する。
【００４８】
図４Ａに示すように、この第４実施形態では、フレキシブル配線基板３が有する基部３Ｆは、矢印Ｘ１方向に延在する略平行な２本の切れ込み４１Ａ,４１Ｂとこの２本の切れ込み４１Ａ,４１Ｂの矢印Ｘ１方向の端に連なる切れ込み４１Ｃとで構成される切れ込み４１を有する。この切れ込み４１は、切れ込み部４８を形成している。そして、この切れ込み部４８は、折り曲げ線４２で折り曲げられて、この折り曲げ線４２から矢印Ｘ２方向に延在する折り曲げ部４３となる。この折り曲げ部４３は、基部３Ｆの非折り曲げ部４４の外縁４４Ａからはみ出している。そして、この折り曲げ部４３は、二点鎖線で描かれている台形部分４３Ａが切除されて、係止シート４５になされる。この係止シート４５は、基部４５Ａと先端部４５Ｂおよび基部４５Ａから先端部４５Ｂに向かって先細の先細部４５Ｃを有する。この係止シート４５の先端部４５Ｂと先細部４５Ｃおよび基部４５Ａは、図１Ａ〜図１Ｃに示すスピンドルモータ固定板１３と底カバー板９との間に挿入されている。
【００４９】
この実施形態の光ピックアップ装置によれば、別体としての係止シートを不要とすることができ、更なるコストダウンを図れる。
【００５０】
尚、上記第１,第２,第３および第４実施形態では、係止シート４,２４,３４および４５を、接着部４Ａ,２４Ａ,基部３４Ａ,４５Ａから先端部４Ｂ,２４Ｂ,３４Ｂ,４５Ｂに向かって先細りの先細部４Ｃ,２４Ｃ,３４Ｃ,４５Ｃを備えたが、係止シートの形状は図１Ａ,図２,図３Ａ,図４Ｂに示されるような形状に限定されるものではないのは勿論である。例えば、係止シートの基部,先細部,先端部の各部分は湾曲した形状であってもよく、また、係止シートが先細部を有していない形状であってもよい。
【図面の簡単な説明】
【００５１】
【図１Ａ】この発明の光ピックアップ装置の第１実施形態を備えた光ディスクドライブ装置の要部を示す模式図である。
【図１Ｂ】図１ＡのＡ-Ａ断面を模式的に示す断面模式図である。
【図１Ｃ】上記光ディスクドライブ装置を底カバー板の短辺側の側方から見た様子を簡略化して示す簡略模式図である。
【図２】この発明の光ピックアップ装置の第２実施形態のフレキシブル配線基板と係止シートを示す図である。
【図３Ａ】この発明の光ピックアップ装置の第３実施形態のフレキシブル配線基板と係止シートを示す分解図である。
【図３Ｂ】上記第３実施形態のフレキシブル配線基板と係止シートを示す組付図である。
【図４Ａ】この発明の光ピックアップ装置の第４実施形態のフレキシブル配線基板の基部に切れ込みを形成した様子を示す図である。
【図４Ｂ】上記第４実施形態のフレキシブル配線基板と係止シートを示す図である。
【符号の説明】
【００５２】
１  光ディスクドライブ装置
２  光ピックアップ装置
２Ａ  光ピックアップ部
３  フレキシブル配線基板
３Ａ  一端部
３Ｂ  他端部
３Ｃ  折り返し部
３Ｄ、３Ｅ、３Ｆ  基部
４、２４、３４、４５  係止シート
４Ａ、２４Ａ  接着部
４Ｂ、２４Ｂ、３４Ｂ、４５Ｂ  先端部
４Ｃ、２４Ｃ、３４Ｃ、４５Ｃ  先細部
５  スピンドルモータ
６  対物レンズ
７  主軸側シャフト
８  副軸側シャフト
９  底カバー板
９Ａ  長辺
９Ｂ  短辺
１０  コネクタ部
１３  スピンドルモータ固定板
１４  ステッピングモータ
２５  両面テープ
３１  第１の切れ込み
３２  第２の切れ込み
３４Ａ、４５Ａ  基部
３６  舌片
３７  結合部分
４１  切れ込み
４２  折り曲げ線
４３  折り曲げ部
４４  外縁
４８  切れ込み部
【図１Ａ】
2009037686.tif 000003
【図１Ｂ】
2009037686.tif 000004
【図１Ｃ】
2009037686.tif 000005
【図２】
2009037686.tif 000006
【図３Ａ】
2009037686.tif 000007
【図３Ｂ】
2009037686.tif 000008
【図４Ａ】
2009037686.tif 000009
【図４Ｂ】
2009037686.tif 000010